(57)【要約】【課題】  簡単な構成で確実にかつ迅速に加硫データの切替を実施することのできる加硫条件データの切替方法を提供する。【解決手段】  加硫条件データをバーコード化し、これを加硫段取り切替時に発行される加硫条件帳票１０Ｆに印字しておき、加硫データの切替時にはバーコードリーダ１１にて上記印字されたバーコード１０Ｂを読み取って、これを加硫機１０の加硫データを管理する管理コンピュータ１０Ｃに記憶されている加硫データと切り替えるようにした。【選択図】        図１
2006321154.tif 000002
【特許請求の範囲】
【請求項１】
加硫条件データをバーコード化し、これを予め加硫段取り切替時に各加硫機毎に発行される加硫条件帳票に印字しておき、加硫データの切替時には上記帳票に印字されたバーコードを読み取って加硫機の加硫データを管理する管理装置に転送し、上記管理装置内に記憶されている加硫データを上記転送された加硫データと切り替えるようにしたことを特徴とする加硫条件データの切替方法
【発明の詳細な説明】
【技術分野】
【０００１】
本発明は、加硫工程における加硫条件データを切り替える方法に関するものである。
【背景技術】
【０００２】
従来、成型機で成型された生タイヤを所定の温度及び圧力で加熱して、所定の弾性を持った安定した加硫ゴムタイヤ（製品タイヤ）を製造する加硫工程においては、管理コンピュータを備えた全自動加硫機が普及している。
ところで、加硫サイズの切替の際には、図２に示すように、図示しない作業者が加硫機１０の管理コンピュータ１０Ｃに接続されている端末１０Ａを操作して、ＬＡＮ等のネットワーク２０Ｎにより接続された加硫条件サーバ２０を呼び出し、この加硫条件サーバ２０から新たな加硫指令を上記管理コンピュータ１０Ｃにオンラインにて転送し、上記管理コンピュータ１０Ｃに入力されているモールドやプラウダーの種類、温度や圧力に関するプロセスデータなどの加硫条件データ（加硫指令）を切り替える方法や、図３に示すように、作業者が端末１０Ａを操作して、上記管理コンピュータ１０Ｃに記憶されている加硫条件データを記憶したファイルを呼び出して、手動にて上記ファイルの個々のデータを１個ずつ書き換える方法などが行われている。
なお、いずれの場合も、加硫指令の切替後には、上記端末１０Ａにより、上記新たな加硫指令と加硫段取り切替時に各加硫機毎に発行される加硫条件帳票１０Ｆに記載された加硫指令とが一致しているかどうかを確認する。
【発明の開示】
【発明が解決しようとする課題】
【０００３】
しかしながら、上記ネットワークを使用する方法では、切替操作は簡単であるが、クライアント−サーバーシステムの構築やネットワーク工事／メンテナンス等が必要なため、システムの立ち上げに時間がかかるだけでなく、相当なコストを必要とする。
一方、作業員によるデータの書き換えは、初期投資も少なく立ち上げも早いが、手入力による書き換えのため作業員が誤ったデータをインプットする恐れがある上に、データの入力に時間がかかるため、作業効率もよくないといった問題点があった。
【０００４】
本発明は、上記従来の問題点に鑑みてなされたもので、簡単な構成で確実にかつ迅速に加硫データの切替を実施することのできる加硫条件データの切替方法を提供することを目的とする。
【課題を解決するための手段】
【０００５】
本発明の請求項１に記載の加硫条件データの切替方法は、加硫条件データをバーコード化し、これを予め加硫段取り切替時に各加硫機毎に発行される加硫条件帳票に印字しておき、加硫データの切替時には上記帳票に印字されたバーコードを読み取って加硫機の加硫データを管理する管理装置に転送し、上記管理装置内に記憶されている加硫データを上記転送された加硫データと切り替えるようにしたことを特徴とするものである。
【発明の効果】
【０００６】
本発明によれば、加硫条件データをバーコード化し、これを加硫段取り切替時に発行される加硫条件帳票に予め印字しておき、加硫データの切替時には上記印字されたバーコードを読み取って加硫機の加硫データを管理する管理装置に記憶されている加硫データと切り替えるようにしたので、簡単な構成で、加硫データの切替を容易に行うことができる。また、手入力の作業がないので、作業時間が大幅に短縮されるだけでなく、入力ミスもなくすことができる。
【発明を実施するための最良の形態】
【０００７】
以下、本発明の最良の形態について、図面に基づき説明する。
図１は、本最良の形態に係る加硫条件データの切替方法を示す図で、同図において、１０は加硫機、１０Ｃは上記加硫機１０の管理コンピュータ、１０Ａはこの管理コンピュータ１０Ｃの端末である。加硫段取りの切替時には、各加硫機１０毎に、加硫条件データが印字された加硫条件帳票１０Ｆが発行され、これが加硫機１０の所定の箇所に保管されるが、本例では、この加硫条件帳票１０Ｆに予め加硫条件データをバーコード化し、これを上記加硫条件帳票１０Ｆに印字しておくようにしている。
その後、加硫段取りの切替時には上記加硫条件帳票１０Ｆに印字されたバーコード１０Ｂをバーコードリーダ１１により読み取り、これを端末１０Ａの表示部１０ａに表示し、この表示された加硫条件データが上記加硫条件帳票１０Ｆに記載された加硫指令と一致しているかどうかを確認する。そして、加硫指令の確認後は、上記加硫条件データは端末１０Ａから加硫機１０の管理コンピュータ１０Ｃに転送され、加硫条件データが切り替えられる。
したがって、ネットワーク２０Ｎやサーバ２０等の高価なシステムを用いることなく、加硫条件データの切替を容易に行うことができる。
また、加硫条件データの入力をバーコード１０Ｂの読取りにて行えるので、手作業で入力する場合に比較してインプット工数が大幅に減少する。
更には、上記バーコード１０Ｂの加硫条件データは、バーコード化時に既に確認されているので、入力ミスをほぼゼロにすることができる。
【０００８】
このように、本最良の形態によれば、加硫条件データをバーコード化し、これを加硫段取り切替時に発行される加硫条件帳票１０Ｆに印字しておき、加硫データの切替時にはバーコードリーダ１１にて上記印字されたバーコード１０Ｂを読み取って、これを加硫機１０の加硫データを管理する管理コンピュータ１０Ｃに記憶されている加硫データと切り替えるようにしたので、簡単な構成で、加硫データの切替を瞬時に行うことができるとともに、加硫データはバーコード化された時点で確認されているので、正確なデータ切替を行うことができる。また、手入力の作業がないので、作業時間が大幅に短縮されるだけでなく、入力ミスもなくすことができる。
【産業上の利用可能性】
【０００９】
本発明によれば、ネットワークやサーバ等の高価なシステムを用いることなく、加硫条件データの切替を容易にかつ正確に行うことができるとともに、作業時間を大幅に短縮することができる加硫条件データの切替方法を提供することができる。
【図面の簡単な説明】
【００１０】
【図１】本発明の最良の形態に係る加硫条件データの切替方法を示す図である。
【図２】従来のネットワークシステムを用いた加硫条件データの切替方法を示す図である。
【図３】従来の手作業による加硫条件データの切替方法を示す図である。
【符号の説明】
【００１１】
１０  加硫機、１０Ａ  端末、１０Ｂ  バーコード、１０Ｃ  管理コンピュータ、
１０Ｆ  加硫条件帳票、１０ａ  端末の表示部、１１  バーコードリーダ。
【図１】
2006321154.tif 000003
【図２】
2006321154.tif 000004
【図３】
2006321154.tif 000005